(57)【要約】【課題】遮蔽領域の小さいガードパイプ用端部緩衝具を提供する。【解決手段】ガードパイプ用端部緩衝具１０は、ガードパイプを構成する第１ビーム２０及び第２ビーム３０に取り付けられる緩衝具であり、第１ビーム２０の延設方向に延設され、第１ビーム２０の延設方向の端部に連結される第１連結部１１ａと、第２ビーム３０の延設方向に延設され、第２ビーム３０の延設方向の端部に連結される第２連結部１１ｂと、第１連結部１１ａと第２連結部１１ｂとの間に隙間Ｂを空けた状態で、第１連結部１１ａと第２連結部１１ｂとを連結する本体部１２とを備えている。【選択図】図１
2015004263.tif 000002
【特許請求の範囲】
【請求項１】
ガードパイプを構成する第１ビーム及び第２ビームに取り付けられる緩衝具であって、
前記第１ビームの延設方向に延設され、前記第１ビームの延設方向の端部に連結される第１連結部と、
前記第２ビームの延設方向に延設され、前記第２ビームの延設方向の端部に連結される第２連結部と、
前記第１連結部と前記第２連結部との間に隙間を空けた状態で、前記第１連結部と前記第２連結部とを連結する本体部とを備える
ガードパイプ用端部緩衝具。
【請求項２】
前記第１連結部、前記第２連結部及び前記本体部のいずれかは、変形可能な部材から構成される
請求項１に記載のガードパイプ用端部緩衝具。
【請求項３】
前記第１連結部及び前記第１ビームの端部のいずれか一方は他方に挿入され、前記第１連結部と前記第１ビームの端部との間には径方向に隙間があり、
前記第２連結部及び前記第２ビームの端部のいずれか一方は他方に挿入され、前記第２連結部と前記第２ビームの端部との間には径方向に隙間がある
請求項１又は２に記載のガードパイプ用端部緩衝具。
【請求項４】
前記ガードパイプは、さらに、前記第１ビームと前記第２ビームとに挟まれて位置する第３パイプを備え、
前記本体部は、前記第３ビームの延設方向の前方に位置する
請求項１〜３のいずれか１項に記載のガードパイプ用端部緩衝具。
【請求項５】
前記第１連結部、前記第２連結部及び前記本体部のいずれかは、光を反射する、又は発光する発光領域を表面に有する
請求項１〜４のいずれか１項に記載のガードパイプ用端部緩衝具。
【発明の詳細な説明】
【技術分野】
【０００１】
本発明は、ガードパイプの端部に取り付けられる緩衝具に関する。
【背景技術】
【０００２】
従来から、道路を外れて車両が路外に進行することを抑えるために、道路に沿って車両用防護柵が設けられている。このような車両用防護柵としては、支柱の側面に波型の板材を取り付けて構成されるガードレール、及び支柱の側面にパイプを取り付けて構成されるガードパイプ等がある。ガードパイプは、ガードレールと異なり棒状体より構成されるため、柵により遮蔽される領域が小さいという利点がある。従って、ガードパイプを歩道及び車道の境界（歩車道境界）に設けた場合には、歩道の視認性を高め、高確率で歩道から車道への人等の飛び出しに対応することが可能となる。
【０００３】
ところで、ガードパイプについて、パイプの延設方向の端部（パイプの端部）が支柱から突出していた場合、パイプの端部に車道の車両及び歩道の歩行者等が衝突すると、重大な事故が発生する可能性がある。従って、このような事故の発生を未然に防止する技術として、ガードパイプのパイプの端部に緩衝具（ガードパイプ用端部緩衝具）を取り付けるものがある（例えば、特許文献１参照）。
【先行技術文献】
【特許文献】
【０００４】
【特許文献１】特開平８−８５９２５号公報
【発明の概要】
【発明が解決しようとする課題】
【０００５】
しかしながら、特許文献１に開示されている従来のガードパイプ用端部緩衝具は、柱状体の側面にパイプの端部が挿入されてガードパイプに取り付けられる構成である。従って、従来のガードパイプ用端部緩衝具は、パイプが挿入される部分でパイプの延設方向に大きな幅を持ち、パイプに挿入されない部分もこの大きな幅と同様の幅を持つため、ガードパイプ用端部緩衝具により遮蔽される領域が大きくなるという問題がある。その結果、ガードパイプを歩車道境界に設けた場合には、ガードパイプの終端領域、つまり歩道からの飛び出しが発生し易い最も重要な領域の視認性が悪くなり、飛び出しに有効に対応することができない。
そこで、本発明は、かかる問題点に鑑み、遮蔽領域の小さいガードパイプ用端部緩衝具を提供することを目的とする。
【課題を解決するための手段】
【０００６】
上記目的を達成するために、本発明の一態様に係るガードパイプ用端部緩衝具は、ガードパイプを構成する第１ビーム及び第２ビームに取り付けられる緩衝具であって、前記第１ビームの延設方向に延設され、前記第１ビームの延設方向の端部に連結される第１連結部と、前記第２ビームの延設方向に延設され、前記第２ビームの延設方向の端部に連結される第２連結部と、前記第１連結部と前記第２連結部との間に隙間を空けた状態で、前記第１連結部と前記第２連結部とを連結する本体部とを備えることを特徴とする。
ここで、前記第１連結部、前記第２連結部及び前記本体部のいずれかは、変形可能な部材から構成されてもよい。
【０００７】
また、前記第１連結部及び前記第１ビームの端部のいずれか一方は他方に挿入され、前記第１連結部と前記第１ビームの端部との間には径方向に隙間があり、前記第２連結部及び前記第２ビームの端部のいずれか一方は他方に挿入され、前記第２連結部と前記第２ビームの端部との間には径方向に隙間があってもよい。
【０００８】
また、前記ガードパイプは、さらに、前記第１ビームと前記第２ビームとに挟まれて位置する第３パイプを備え、前記本体部は、前記第３ビームの延設方向の前方に位置してもよい。
また、前記第１連結部、前記第２連結部及び前記本体部のいずれかは、光を反射する、又は発光する発光領域を表面に有してもよい。
【発明の効果】
【０００９】
本発明によれば、遮蔽領域の小さいガードパイプ用端部緩衝具を実現することができる。
【図面の簡単な説明】
【００１０】
【図１】本発明の第１の実施形態に係るガードパイプ用端部緩衝具の構成を示す正面図である。
【図２】本発明の第１の実施形態に係るガードパイプ用端部緩衝具の構成を示す断面図である。
【図３】本発明の第１の実施形態に係るガードパイプ用端部緩衝具の構成を示す側面図である。
【図４】本発明の第１の実施形態に係るガードパイプ用端部緩衝具の構成を示す平面図である。
【図５】本発明の第１の実施形態に係るガードパイプ用端部緩衝具において、傾斜した地面に設置されたガードパイプに取り付けられた状態を示す図である。
【図６】本発明の第１の実施形態に係るガードパイプ用端部緩衝具において、傾斜した地面に設置されたガードパイプに取り付けられた状態を示す図である。
【図７】本発明の第１の実施形態に係るガードパイプ用端部緩衝具のガードパイプへの取り付け方法を説明するための図である。
【図８】本発明の第２の実施形態に係るガードパイプ用端部緩衝具の構成を示す正面図である。
【図９】本発明の第２の実施形態に係るガードパイプ用端部緩衝具の構成を示す断面図である。
【図１０】本発明の第２の実施形態に係るガードパイプ用端部緩衝具の構成を示す側面図である。
【図１１】本発明の第２の実施形態に係るガードパイプ用端部緩衝具の構成を示す平面図である。
【図１２】本発明の第３の実施形態に係るガードパイプ用端部緩衝具の構成を示す斜視図である。
【図１３】本発明の第３の実施形態に係るガードパイプ用端部緩衝具の使用状態を示す正面図である。
【図１４】本発明の第３の実施形態に係るガードパイプ用端部緩衝具の使用状態を示す側面図である。
【図１５】本発明の第４の実施形態に係るガードパイプ用端部緩衝具の構成を示す斜視図である。
【図１６】本発明の第４の実施形態に係るガードパイプ用端部緩衝具の使用状態を示す正面図である。
【図１７】本発明の第４の実施形態に係るガードパイプ用端部緩衝具の使用状態を示す側面図である。
【発明を実施するための形態】
【００１１】
以下、本発明の実施形態について、図面を用いて詳細に説明する。
（第１の実施形態）
本発明の第１の実施形態に係るガードパイプ用端部緩衝具１０について、図１〜図７を用いて説明する。
【００１２】
図１は、本実施形態に係るガードパイプ用端部緩衝具１０の構成を示す正面図である。図２は、本実施形態に係るガードパイプ用端部緩衝具１０の構成を示す断面図（図１のＡＡ線における断面図）である。図３は、本実施形態に係るガードパイプ用端部緩衝具１０の構成を示す側面図である。図４は、本実施形態に係るガードパイプ用端部緩衝具１０の構成を示す平面図（上面図）である。図５及び図６は、傾斜した地面６０に設置されたガードパイプに取り付けられた本実施形態に係るガードパイプ用端部緩衝具１０を示す図である。
【００１３】
このガードパイプ用端部緩衝具１０が取り付けられるガードパイプは、図１〜図４に示されるように、地面６０に沿って略同一方向（図１のＸ方向）に延設された第１ビーム２０、第２ビーム３０及び第３ビーム４０と、地面６０に垂直方向（図１のＹ方向）に延設された支柱５０とを備えている。
【００１４】
第１ビーム２０は、図１のＸ方向に延設された主パイプ２１、内部パイプ２３及び外部パイプ２６と、固定ボルト２２及び２７とから構成されている。内部パイプ２３は、その延設方向の一端が主パイプ２１の開口内に配置されると共に、その延設方向の他端が外部パイプ２６の開口内に配置されている。そして、内部パイプ２３及び主パイプ２１に形成された固定孔内に固定ボルト２２を配置してナットと締結することにより主パイプ２１に内部パイプ２３が固定されている。また、外部パイプ２６及び内部パイプ２３に形成された固定孔内に固定ボルト２７を配置してナットと締結することにより内部パイプ２３に外部パイプ２６が固定されている。つまり、固定ボルト２２及び２７により、主パイプ２１、内部パイプ２３及び外部パイプ２６が結合されている。
【００１５】
内部パイプ２３、外部パイプ２６、並びに固定ボルト２２及び２７は、主パイプ２１にガードパイプ用端部緩衝具１０を取り付けるための取付部材（中継部材）として機能する。なお、第２ビーム３０も第１ビーム２０と同様の構成を有し、第２ビーム３０の主パイプにガードパイプ用端部緩衝具１０を取り付けるための取付部材、つまり内部パイプ、外部パイプ及び固定ボルトを備えているが、その詳細な説明は省略する。
【００１６】
第３ビーム４０は、Ｘ方向に延設された主パイプ４１及び内部パイプ４３と、固定ボルト４２とから構成されている。内部パイプ４３は、その延設方向の一端が主パイプ４１の開口内に配置されている。そして、内部パイプ４３及び主パイプ４１に形成された固定孔内に固定ボルト４２を配置してナットと締結することにより主パイプ４１に内部パイプ４３が固定されている。つまり、固定ボルト４２により、主パイプ４１及び内部パイプ４３が結合されている。内部パイプ４３の延設方向の他端には第３ビーム４０の延設方向の端部（第３ビーム４０の端部）を構成するキャップが設けられている。
【００１７】
支柱５０は、延設方向（図１のＹ方向）の一端が地面６０に埋め込まれ、側面に第１ビーム２０、第２ビーム３０及び第３ビーム４０を保持している。支柱５０は地面６０に所定間隔で複数本設けられており、複数本の支柱５０により第１ビーム２０、第２ビーム３０及び第３ビーム４０は横架されている。第２ビーム３０、第３ビーム４０及び第１ビーム２０は、１つの支柱５０に、地面６０からこの順に並んだ状態で固定されている。
【００１８】
ガードパイプは、さらに、第１ビーム２０、第２ビーム３０及び第３ビーム４０を支柱５０に固定するための固定部材を備えている。具体的に、第１ビーム２０を支柱５０に固定するための固定部材として金具２４並びに固定ボルト２５及び５１を備えている。この固定部材は、主パイプ２１、内部パイプ２３及び金具２４に形成された固定孔内に固定ボルト２５を配置し、金具２４及び支柱５０に形成された固定孔内に固定ボルト５１を配置してそれぞれをナットと締結することにより第１ビーム２０を支柱５０に固定している。なお、第２ビーム３０及び第３ビーム４０も、この固定部材と同一構成の固定部材により支柱５０に固定されているが、その詳細な説明は省略する。
【００１９】
ガードパイプ用端部緩衝具１０は、図１〜図４に示されるように、ガードパイプの端部に取り付けられるＵ字状の緩衝具であって、第１ビーム２０及び第２ビーム３０の延設方向と交差する方向（図１のＹ方向）に延設された本体部１２と、第１ビーム２０及び第２ビーム３０の延設方向（図１のＸ方向）に延設された第１連結部１１ａ及び第２連結部１１ｂとから構成されている。
【００２０】
本体部１２、第１連結部１１ａ及び第２連結部１１ｂは、パイプ等の筒状体であり、ガードパイプの端部より耐候性に優れ硬度の低い同一材料、例えばウレタン樹脂やＥＶＡ樹脂、塩化ビニール樹脂等から構成されている。
【００２１】
なお、第１連結部１１ａ、第２連結部１１ｂ及び本体部１２の全てが同一材料から構成されるとしたが、ガードパイプの端部より硬度の低い材料であれば、異なる材料により構成されてもよい。
【００２２】
第１連結部１１ａの開口内には、第１ビーム２０の延設方向の端部（第１ビーム２０の端部）つまり外部パイプ２６が配置されている。第１連結部１１ａは、外部パイプ２６及び第１連結部１１ａに形成された固定孔内に固定ボルト１４を配置してナットと締結することにより第１ビーム２０の端部に固定されている。つまり、固定ボルト１４により、第１連結部１１ａ及び外部パイプ２６が連結されている。第２連結部１１ｂの開口内にも、同様に第２ビーム３０の延設方向の端部（第２ビーム３０の端部）つまり第２ビーム３０の外部パイプが配置されており、固定ボルトにより第２ビーム３０の外部パイプ及び第２連結部１１ｂが連結されている。
【００２３】
本体部１２は、第１連結部１１ａと第２連結部１１ｂとの間に隙間Ｂを空けた状態で、第１連結部１１ａ及び第２連結部１１ｂと一体化され、その延設方向の一端が第１連結部１１ａの延設方向の他端に接合すると共に、その延設方向の他端が第２連結部１１ｂの延設方向の他端に接合している。つまり、本体部１２は、第１連結部１１ａの延設方向の他端と第２連結部１１ｂの延設方向の他端とを連結している。
【００２４】
本体部１２は、第３ビーム４０の延設方向において第３ビーム４０の端部に隣り合うように位置しており、その表面には例えば反射テープ等の光を反射する発光領域１３、又は蛍光テープ又は蓄光テープ等の発光する発光領域１３が形成されている。発光領域１３は、本体部１２に巻き付くように周方向に渡って一様に形成されており、広範囲（ガードパイプ用端部緩衝具１０の周囲３６０°の範囲）から発光領域１３の視認を可能にしている。発光領域１３は、本体部１２の延設方向に分割して設けられており、本体部１２の延設方向に隙間を空けて形成された２つの発光部から構成されている。
【００２５】
なお、本体部１２の表面に発光領域１３が形成されるとしたが、本体部１２、第１連結部１１ａ及び第２連結部１１ｂのいずれかの表面に発光領域１３が形成されればこれに限られない。例えば、本体部１２、第１連結部１１ａ及び第２連結部１１ｂの全ての表面に発光領域１３が形成されてもよい。
【００２６】
ここで、第１連結部１１ａの延設方向の一端に第１ビーム２０の端部が挿入されているが、図２に示されるように、第１連結部１１ａの開口の内径は第１ビーム２０の端部の外径より大きく、両者の間には開口の径方向に隙間が形成されている。第２連結部１１ｂについても同様に、第２連結部１１ｂの延設方向の一端に第２ビーム３０の端部が挿入されているが、第２連結部１１ｂの開口の内径は第２ビーム３０の端部の外径より大きく、両者の間には開口の径方向に隙間が形成されている。
【００２７】
このように第１連結部１１ａ及び第１ビーム２０の間と、第２連結部１１ｂ及び第２ビーム３０の間との両方に、隙間が形成されている。また、ガードパイプ用端部緩衝具１０が弾性体及びジャバラ体等の変形可能な部材から構成されている。従って、水平な地面６０のみならず、傾斜した地面６０に設置したガードパイプについても取り付け可能なガードパイプ用端部緩衝具１０を実現することができる。すなわち、図１、図５及び図６に示されるように、傾斜した地面６０に設置されたガードパイプにおいては、第１ビーム２０と第２ビーム３０とが支柱５０に対して垂直な状態から傾けられる。この傾いた状態では、水平な地面６０に設置されたガードパイプと比較して第１ビーム２０の端部と第２ビーム３０の端部との間隔は狭くなり、間隔Ｄ１＞間隔Ｄ２、間隔Ｄ１＞間隔Ｄ３の関係が成立する。しかしながら、ガードパイプ用端部緩衝具１０は、このような第１ビーム２０と第２ビーム３０との間隔の変化を自身の変形及び隙間の存在により吸収することができるのである。
図７は、本実施形態に係るガードパイプ用端部緩衝具１０のガードパイプへの取り付け方法を説明するための図である。
【００２８】
ガードパイプ用端部緩衝具１０の取り付けにおいて、まず、図７（ａ）及び図７（ｂ）に示されるように、第１ビーム２０の主パイプ２１に取り付けられた内部パイプ２３に固定ボルト２７を介して外部パイプ２６が取り付けられる。そして、同様に、第２ビーム３０についても外部パイプが取り付けられる。
【００２９】
次に、図７（ｂ）及び図７（ｃ）に示されるように、第１連結部１１ａに第１ビーム２０の外部パイプ２６を、第２連結部１１ｂに第２ビーム３０の外部パイプを挿入することで、ガードパイプ用端部緩衝具１０が第１ビーム２０及び第２ビーム３０に取り付けられる。
【００３０】
以上のように本実施形態のガードパイプ用端部緩衝具１０は、ガードパイプを構成する第１ビーム２０及び第２ビーム３０に取り付けられる緩衝具である。そして、ガードパイプ用端部緩衝具１０は、第１ビーム２０の延設方向に延設され、第１ビーム２０の延設方向の端部に連結される第１連結部１１ａと、第２ビーム３０の延設方向に延設され、第２ビーム３０の延設方向の端部に連結される第２連結部１１ｂとを備える。そして、ガードパイプ用端部緩衝具１０は、さらに、第１ビーム２０及び第２ビーム３０のいずれかの延設方向と交差する方向に延設され、第１連結部１１ａと第２連結部１１ｂとの間に隙間Ｂを空けた状態で、第１連結部１１ａと第２連結部１１ｂとを連結する本体部１２を備えている。このような構成により、第１連結部１１ａと第２連結部１１ｂとの間に隙間Ｂが形成されるので、ガードパイプ用端部緩衝具１０により遮蔽される領域を小さくすることができる。
【００３１】
また、本実施形態のガードパイプ用端部緩衝具１０によれば、第１連結部１１ａ、第２連結部１１ｂ及び本体部１２のいずれかは、変形可能な部材から構成される。このような構成により、ガードパイプ用端部緩衝具１０の変形で第１ビーム２０の端部と第２ビーム３０の端部との間隔の変化を吸収することができるため、傾斜した地面６０に設置したガードパイプについても取り付け可能なガードパイプ用端部緩衝具１０を実現することができる。
【００３２】
また、本実施形態のガードパイプ用端部緩衝具１０によれば、第１連結部１１ａ及び第１ビーム２０の端部のいずれか一方は他方に挿入され、この挿入部で第１連結部１１ａと第１ビーム２０の端部との間には径方向に隙間がある。そして、第２連結部１１ｂ及び第２ビーム３０の端部のいずれか一方は他方に挿入され、この挿入部で第２連結部１１ｂと第２ビーム３０の端部との間には径方向に隙間がある。このような構成により、ビームと連結部との間の隙間で第１ビーム２０の端部と第２ビーム３０の端部との間隔の変化を吸収することができるため、傾斜した地面６０に設置したガードパイプについても取り付け可能なガードパイプ用端部緩衝具１０を実現することができる。
【００３３】
また、本実施形態のガードパイプ用端部緩衝具１０によれば、ガードパイプは、さらに、第１ビーム２０と第２ビーム３０とに挟まれて位置する第３パイプ４０を備え、本体部１２は、第３ビーム４０の延設方向の前方に位置する。このような構成により、本体部１２で第３ビーム４０の端部がガードパイプ用端部緩衝具１０から突出しないようにできるため、第３ビーム４０の端部に車道の車両及び歩道の歩行者等が衝突するのを抑えることができる。
【００３４】
また、本実施形態のガードパイプ用端部緩衝具１０によれば、第１連結部１１ａ、第２連結部１１ｂ及び本体部１２のいずれかは、光を反射する、又は発光する発光領域１３を表面に有する。このような構成により、ガードパイプ用端部緩衝具１０の視認性、つまりはガードパイプの端部の視認性を高めて飛び出しによる事故の発生を高確率で抑えることができる。
【００３５】
また、本実施形態のガードパイプ用端部緩衝具１０は、内部パイプ２３、外部パイプ２６、並びに固定ボルト２２及び２７から構成される取付部材を介してビームに取付られる。従って、内部パイプ２３及び外部パイプ２６の長さを調整して、地面６０の傾きに応じた最適な長さを確保しつつ、ガードパイプ用端部緩衝具１０の支柱から突出量を小さくすることができる。
（第２の実施形態）
次に、本発明の第２の実施形態に係るガードパイプ用端部緩衝具１１０について説明する。
【００３６】
図８は、本実施形態に係るガードパイプ用端部緩衝具１１０の構成を示す正面図である。図９は、本実施形態に係るガードパイプ用端部緩衝具１１０の構成を示す断面図（図８のＡＡ線における断面図）である。図１０は、本実施形態に係るガードパイプ用端部緩衝具１１０の構成を示す側面図である。図１１は、本実施形態に係るガードパイプ用端部緩衝具１１０の構成を示す平面図（上面図）である。
【００３７】
このガードパイプ用端部緩衝具１１０は、第１連結部１１１ａ及び第２連結部１１１ｂの延設方向（図８のＸ方向）の長さが長く、主パイプの延設方向の端部及び内部パイプも第１ビーム１２０及び第２ビーム１３０の端部として第１連結部１１１ａ及び第２連結部１１１ｂに挿入される点で第１の実施形態のガードパイプ用端部緩衝具１０と異なる。そして、ガードパイプは、第１ビーム１２０及び第２ビーム１３０が外部パイプを有さず、第１ビーム１２０及び第２ビーム１３０も第３ビーム４０と同様に、内部パイプの延設方向の他端にキャップが設けられた構成である点で第１の実施形態のガードパイプと異なる。以下、第１の実施形態のガードパイプ用端部緩衝具１０と異なる点を中心に説明する。
【００３８】
ガードパイプ用端部緩衝具１１０は、図８〜図１１に示されるように、ガードパイプの端部に取り付けられるＵ字状の緩衝具であって、第１ビーム１２０及び第２ビーム１３０の延設方向と交差する方向（図８のＹ方向）に延設された本体部１２と、第１ビーム１２０及び第２ビーム１３０の延設方向（図８のＸ方向）に延設された第１連結部１１１ａ及び第２連結部１１１ｂとから構成されている。ガードパイプ用端部緩衝具１１０は、変形可能な部材から構成されている。
【００３９】
本体部１２、第１連結部１１１ａ及び第２連結部１１１ｂは、パイプ等の筒状体であり、ガードパイプの端部より硬度の低い同一材料の弾性体から構成されている。本体部１２は、第１連結部１１１ａと第２連結部１１１ｂとの間に隙間Ｂを空けた状態で、第１連結部１１１ａと第２連結部１１１ｂとを連結している。
【００４０】
なお、第１連結部１１１ａ、第２連結部１１１ｂ及び本体部１２の全てが同一材料から構成されるとしたが、ガードパイプの端部より硬度の低い材料であれば、異なる材料により構成されてもよい。
【００４１】
第１連結部１１１ａの内部には、第１ビーム１２０の延設方向の端部（第１ビーム１２０の端部）つまり内部パイプ２３の延設方向の他端に取り付けられたキャップ、主パイプ２１の延設方向の端部及び内部パイプ２３と、金具２４とが配置されている。図１１に示されるように、第１連結部１１１ａの上面には、固定ボルト２２及び２５が配置される開口７０が形成されており、第１連結部１１１ａの側面には、金具２４が配置される切り欠き７１が形成されている。同様に、第２連結部１１１ｂの内部にも第２ビーム１３０の延設方向の端部（第２ビーム１３０の端部）が配置され、固定ボルトが配置される開口と金具が配置される切り欠きとが形成されている。
【００４２】
第１連結部１１１ａは、その開口内に第１ビーム１２０の端部を挿入させ、その開口端が内部パイプ２３の延設方向の一端に達するまで押し込まれた後、上面の開口７０内に固定ボルト２２及び２５を配置してナットと締結することで固定ボルト２２及び２５と主パイプ２１の外面とで挟持される。これにより、第１連結部１１１ａ及び第１ビーム１２０が固定ボルト２２及び２５により連結される。第２連結部１１１ｂも第１連結部１１１ａと同様の方法で第２ビーム１３０と連結され、主パイプ、内部パイプ及び金具の固定孔内に配置される固定ボルトにより第２ビーム１３０と連結される。
【００４３】
第１連結部１１１ａの延設方向の一端に第１ビーム１２０の端部が挿入されているが、図９に示されるように、第１連結部１１１ａの開口の内径は第１ビーム１２０の端部の外径より大きく、両者の間には隙間が形成されている。第２連結部１１１ｂについても同様に、第２連結部１１１ｂの延設方向の一端に第２ビーム１３０の端部が挿入されているが、第２連結部１１１ｂの開口の内径は第２ビーム１３０の端部の外径より大きく、両者の間には隙間が形成されている。
【００４４】
以上のように本実施形態のガードパイプ用端部緩衝具１１０は、第１の実施形態と同様の理由により、ガードパイプ用端部緩衝具１１０により遮蔽される領域を小さくすることができる。また、傾斜した地面６０に設置したガードパイプについても取り付け可能なガードパイプ用端部緩衝具１１０を実現することができる。また、第３ビーム４０の端部に車道の車両及び歩道の歩行者等が衝突するのを抑えることができる。また、ガードパイプの端部の視認性を高めて飛び出しによる事故の発生を高確率で抑えることができる。
（第３の実施形態）
次に、本発明の第３の実施形態に係るガードパイプ用端部緩衝具２１０について説明する。
図１２は、本実施形態に係るガードパイプ用端部緩衝具２１０の構成を示す斜視図（背面から見た斜視図）である。図１３は、本実施形態に係るガードパイプ用端部緩衝具２１０の使用状態を示す正面図である。図１４は、本実施形態に係るガードパイプ用端部緩衝具２１０の使用状態を示す側面図である。
このガードパイプ用端部緩衝具２１０は、第１連結部２１１ａ及び第２連結部２１１ｂの延設方向（図１３のＸ方向）の長さが短く、主パイプ２１の固定ボルト２２が設けられた部分は第１連結部２１１ａ及び第２連結部２１１ｂに挿入されない点で第２の実施形態のガードパイプ用端部緩衝具１１０と異なる。以下、第２の実施形態のガードパイプ用端部緩衝具１１０と異なる点を中心に説明する。
ガードパイプ用端部緩衝具２１０は、図１２〜図１４に示されるように、ガードパイプの端部に取り付けられるＵ字状の緩衝具であって、第１ビーム１２０及び第２ビーム１３０の延設方向と交差する方向（図１３のＹ方向）に延設された本体部１２と、第１ビーム１２０及び第２ビーム１３０の延設方向（図１３のＸ方向）に延設された第１連結部２１１ａ及び第２連結部２１１ｂとから構成されている。ガードパイプ用端部緩衝具２１０は、変形可能な部材から構成されている。
本体部１２、第１連結部２１１ａ及び第２連結部２１１ｂは、パイプ等の筒状体であり、ガードパイプの端部より硬度の低い同一材料の弾性体から構成されている。本体部１２は、第１連結部２１１ａと第２連結部２１１ｂとの間に隙間Ｂを空けた状態で、第１連結部２１１ａと第２連結部２１１ｂとを連結している。
なお、第１連結部２１１ａ、第２連結部２１１ｂ及び本体部１２の全てが同一材料から構成されるとしたが、ガードパイプの端部より硬度の低い材料であれば、異なる材料により構成されてもよい。
第１連結部２１１ａの内部には、第１ビーム１２０の延設方向の端部（第１ビーム１２０の端部）つまり内部パイプ２３の延設方向の他端に取り付けられたキャップ、主パイプ２１の延設方向の端部及び内部パイプ２３と、金具２４とが配置されている。図１２に示されるように、第１連結部２１１ａの上面には、固定ボルト２５が配置される開口２７０が形成されており、第１連結部２１１ａの側面には、金具２４が配置される切り欠き２７１が形成されている。同様に、第２連結部２１１ｂの内部にも第２ビーム１３０の延設方向の端部（第２ビーム１３０の端部）が配置され、固定ボルトが配置される開口と金具が配置される切り欠きとが形成されている。
第１連結部２１１ａは、その開口内に第１ビーム１２０の端部を挿入させ、その開口端が主パイプ２１の延設方向の一端に達するまで押し込まれた後、上面の開口２７０内に固定ボルト２５を配置してナットと締結することで固定ボルト２５と金具２４の外面とで挟持される。これにより、第１連結部２１１ａ及び第１ビーム１２０が固定ボルト２５により連結される。第２連結部２１１ｂも第１連結部２１１ａと同様の方法で第２ビーム１３０と連結され、主パイプ、内部パイプ及び金具の固定孔内に配置される固定ボルトにより第２ビーム１３０と連結される。
第１連結部２１１ａの延設方向の一端に第１ビーム１２０の端部が挿入されているが、第１連結部２１１ａの開口の内径は第１ビーム１２０の端部の外径より大きく、両者の間には隙間が形成されている。第２連結部２１１ｂについても同様に、第２連結部２１１ｂの延設方向の一端に第２ビーム１３０の端部が挿入されているが、第２連結部２１１ｂの開口の内径は第２ビーム１３０の端部の外径より大きく、両者の間には隙間が形成されている。
以上のように本実施形態のガードパイプ用端部緩衝具２１０は、第１の実施形態と同様の理由により、ガードパイプ用端部緩衝具２１０により遮蔽される領域を小さくすることができる。また、傾斜した地面６０に設置したガードパイプについても取り付け可能なガードパイプ用端部緩衝具２１０を実現することができる。また、第３ビーム１４０の端部に車道の車両及び歩道の歩行者等が衝突するのを抑えることができる。また、ガードパイプの端部の視認性を高めて飛び出しによる事故の発生を高確率で抑えることができる。
（第４の実施形態）
次に、本発明の第４の実施形態に係るガードパイプ用端部緩衝具３１０について説明する。
図１５は、本実施形態に係るガードパイプ用端部緩衝具３１０の構成を示す斜視図（背面から見た斜視図）である。図１６は、本実施形態に係るガードパイプ用端部緩衝具３１０の使用状態を示す正面図である。図１７は、本実施形態に係るガードパイプ用端部緩衝具３１０の使用状態を示す側面図である。
このガードパイプ用端部緩衝具３１０は、第１連結部３１１ａ及び第２連結部３１１ｂの延設方向（図１６のＸ方向）の長さが短く、主パイプ２１の延設方向の端部は第１連結部３１１ａ及び第２連結部３１１ｂに挿入されない点で第２の実施形態のガードパイプ用端部緩衝具１１０と異なる。また、第１連結部３１１ａ及び第２連結部３１１ｂを支柱５０に固定する取付金具３８０を備える点でも第２の実施形態のガードパイプ用端部緩衝具１１０と異なる。以下、第２の実施形態のガードパイプ用端部緩衝具１１０と異なる点を中心に説明する。
ガードパイプ用端部緩衝具３１０は、図１５〜図１７に示されるように、ガードパイプの端部に取り付けられるＵ字状の緩衝具であって、第１ビーム１２０及び第２ビーム１３０の延設方向と交差する方向（図１６のＹ方向）に延設された本体部１２と、第１ビーム１２０及び第２ビーム１３０の延設方向（図１６のＸ方向）に延設された第１連結部３１１ａ及び第２連結部３１１ｂとから構成されている。ガードパイプ用端部緩衝具３１０は、変形可能な部材から構成されている。
ガードパイプ用端部緩衝具３１０は、さらに、本体部１２、第１連結部３１１ａ及び第２連結部３１１ｂを支柱５０に固定するための固定金具３８０及び固定ボルト３８３を２組備えている。
固定金具３８０は、板状体であり、第１連結部３１１ａ又は第２連結部３１１ｂに挿入及び固定される第１板状部３８０ａと、固定ボルト５１の頭部と支柱５０との間に挿入及び固定される第２板状部３８０ｂと、第１板状部３８０ａ及び第２板状部３８０ｂを一体化する第３板状部３８０ｃとから構成されている。そして、第１板状部３８０ａには、固定金具３８０を第１連結部３１１ａ又は第２連結部３１１ｂに固定するための固定ボルト３８３が配置される取付孔３８２が形成され、第２板状部３８０ｂには、固定金具３８０を支柱５０に固定するための固定ボルト５１が配置される取付溝３８１が形成されている。
固定金具３８０の第１板状部３８０ａ及び第２板状部３８０ｂは、共に第１ビーム１２０又は第２ビーム１３０の延設方向に延設されているが、第１ビーム１２０又は第２ビーム１３０の延設方向と交差する方向に延設された第３板状部３８０ｃにより連結されている。従って、第２板状部３８０ｂは第１板状部３８０ａに対し支柱５０側に位置し、異なる平面内に位置している。
本体部１２、第１連結部３１１ａ及び第２連結部３１１ｂは、パイプ等の筒状体であり、ガードパイプの端部より硬度の低い同一材料の弾性体から構成されている。本体部１２は、第１連結部３１１ａと第２連結部３１１ｂとの間に隙間Ｂを空けた状態で、第１連結部３１１ａと第２連結部３１１ｂとを連結している。
なお、第１連結部３１１ａ、第２連結部３１１ｂ及び本体部１２の全てが同一材料から構成されるとしたが、ガードパイプの端部より硬度の低い材料であれば、異なる材料により構成されてもよい。
第１連結部３１１ａの内部には、第１ビーム１２０の延設方向の端部（第１ビーム１２０の端部）つまり内部パイプ２３の延設方向の他端に取り付けられたキャップが配置されている。図１５に示されるように、第１連結部３１１ａの背面には、取付金具３８０の固定ボルト３８３が配置される開口３７０が形成されている。同様に、第２連結部３１１ｂの内部にも第２ビーム１３０の延設方向の端部（第２ビーム１３０の端部）が配置され、取付金具３８０の固定ボルト３８３が配置される開口が形成されている。
第１連結部３１１ａは、その開口内に第１ビーム１２０の端部を挿入させ、その開口端が金具２４の一端に達するまで押し込まれた後、背面の開口３７０内と固定金具３８０の取付孔３８２内とに固定ボルト３８３を配置してナットと締結することで取付金具３８０に固定される。第２連結部３１１ｂも第１連結部３１１ａと同様の方法で、取付金具３８０の取付孔３８２内に配置される固定ボルト３８３により取付金具３８０に固定される。このような第１連結部３１１ａ及び第２連結部３１１ｂと連結された固定金具３８０は、支柱５０の固定孔内と取付金具３８０の取付溝３８１内とに共通の１つ固定ボルト５１を配置してナットと締結することにより、支柱５０に固定される。
第１連結部３１１ａの延設方向の一端に第１ビーム１２０の端部が挿入されているが、第１連結部３１１ａの開口の内径は第１ビーム１２０の端部の外径より大きく、両者の間には隙間が形成されている。第２連結部３１１ｂについても同様に、第２連結部３１１ｂの延設方向の一端に第２ビーム１３０の端部が挿入されているが、第２連結部３１１ｂの開口の内径は第２ビーム１３０の端部の外径より大きく、両者の間には隙間が形成されている。
以上のように本実施形態のガードパイプ用端部緩衝具３１０は、第１の実施形態と同様の理由により、ガードパイプ用端部緩衝具３１０により遮蔽される領域を小さくすることができる。また、傾斜した地面６０に設置したガードパイプについても取り付け可能なガードパイプ用端部緩衝具３１０を実現することができる。また、第３ビーム１４０の端部に車道の車両及び歩道の歩行者等が衝突するのを抑えることができる。また、ガードパイプの端部の視認性を高めて飛び出しによる事故の発生を高確率で抑えることができる。
【００４５】
以上、本発明のガードパイプ用端部緩衝具について、実施形態に基づいて説明したが、本発明は、これらの実施形態に限定されるものではない。本発明の要旨を逸脱しない範囲内で当業者が思いつく各種変形を施したものも本発明の範囲内に含まれる。
【００４６】
例えば、上記実施形態において、ガードパイプ用端部緩衝具は、連結部及び本体部が円筒体から構成されるとしたが、連結部についてはビームの端部と連結可能な棒状体であり、本体部については２つの連結部を連結可能な部材であればこの形状に限られない。
【００４７】
また、ガードパイプ用端部緩衝具では、本体部の両端が２つの連結部の延設方向の端部と接合し、ガードパイプ用端部緩衝具はＵ字状であるとしたが、この形状に限られない。例えば、本体部の両端が２つの連結部の延設方向の中央部と接合し、ガードパイプ用端部緩衝具はＨ字状であってもよい。
【００４８】
また、上記実施形態において、ガードパイプ用端部緩衝具は、傾斜した地面に設置したガードパイプに取り付け可能とするため、ビームとの間に隙間を有し、変形可能な部材から構成される特徴を有するとした。しかし、地面の傾斜を考慮しない場合、ガードパイプ用端部緩衝具は、このような特徴を有しなくてもよい。
【００４９】
また、上記実施形態において、ガードパイプ用端部緩衝具は固定部材を介してガードパイプの端部に連結されるとした。しかし、ガードパイプ用端部緩衝具とビームとの間に隙間が形成されない場合には、ガードパイプ用端部緩衝具の連結部とビームの端部とを嵌合等させることで、ガードパイプ用端部緩衝具をガードパイプの端部に連結させてもよい。
【００５０】
また、上記実施形態において、ガードパイプ用端部緩衝具はその連結部の開口内にビームの端部が挿入されてガードパイプの端部に連結されるとした。しかし、ビームの端部を開口を持つものとした場合には、ビームの端部の開口内にガードパイプ用端部緩衝具を挿入して、ガードパイプ用端部緩衝具及びガードパイプの端部が連結されてもよい。
【産業上の利用可能性】
【００５１】
本発明は、ガードパイプの端部に取り付けられるガードパイプ用端部緩衝具等において広く利用することができる。
【符号の説明】
【００５２】
１０、１１０、２１０、３１０    ガードパイプ用端部緩衝具
１１ａ、１１１ａ、２１１ａ、３１１ａ    第１連結部
１１ｂ、１１１ｂ、２１１ｂ、３１１ｂ    第２連結部
１２    本体部
１３    発光領域
２０、１２０    第１ビーム
２１、４１    主パイプ
２２、２５、２７、４２、５１、３８３    固定ボルト
２３、４３    内部パイプ
２４    金具
２６    外部パイプ
３０、１３０    第２ビーム
４０    第３ビーム
５０    支柱
６０    地面
７０、２７０、３７０    開口
７１、２７１    切り欠き
３８０    固定金具
３８０ａ    第１板状部
３８０ｂ    第２板状部
３８０ｃ    第３板状部
３８１    取付溝
３８２    取付孔
【図１】
2015004263.tif 000003
【図２】
2015004263.tif 000004
【図３】
2015004263.tif 000005
【図４】
2015004263.tif 000006
【図５】
2015004263.tif 000007
【図６】
2015004263.tif 000008
【図７】
2015004263.tif 000009
【図８】
2015004263.tif 000010
【図９】
2015004263.tif 000011
【図１０】
2015004263.tif 000012
【図１１】
2015004263.tif 000013
【図１２】
2015004263.tif 000014
【図１３】
2015004263.tif 000015
【図１４】
2015004263.tif 000016
【図１５】
2015004263.tif 000017
【図１６】
2015004263.tif 000018
【図１７】
2015004263.tif 000019